(57)【要約】      （修正有）【課題】製造がより簡単な、コスト効率の高い構造の弁を提案する。【解決手段】弁１１は、弁ハウジング１２に接続できる駆動装置３５を有し、弁ハウジングは、弁閉鎖構成部品３１の開閉動作を制御するための、形状記憶合金製の少なくとも１つの制御要素３９を有し、また弁閉鎖構成部品を操作して、貫通孔１４を開放又は閉鎖する。また弁は復帰要素３３を有し、復帰要素３３は、弁閉鎖構成部品の閉鎖又は開放動作に対して作用する。弁は、制御要素は少なくとも１つのワイヤ要素で形成され、少なくとも１つのワイヤ要素は、弁閉鎖構成部品の接触点３４と、弁ハウジング又は弁ハウジングに取り付けることができるハウジング部分上の接触点３７との間で作動すること、及び制御要素は少なくとも部分的に保護カバー４５で覆われている。【選択図】図１
2015203498.tif 000002
【特許請求の範囲】
【請求項１】
液体又は気体媒体のための弁、特に調節又は閉止弁であって、
前記弁は弁ハウジング（１２）を有し、
前記弁ハウジング（１２）は少なくとも１つの貫通孔（１４）を有し、
前記少なくとも１つの貫通孔（１４）は流入口（２１）を流出口（１６）と接続し、
前記弁は、前記弁ハウジング（１２）上に配設され、前記貫通孔（１４）を覆う弁座（１７）を有し、
前記貫通孔（１４）は弁閉鎖構成部品（３１）によって閉鎖でき、
前記弁閉鎖構成部品（３１）は、前記流入口（２１）と前記流出口（１６）との間に形成された前記弁ハウジング（１２）の調節空間（２２）に配設され、
前記弁は、前記弁ハウジング（１２）に接続できる駆動装置（３５）を有し、
前記弁ハウジング（１２）は、前記弁閉鎖構成部品（３１）の開閉動作を制御するための、形状記憶合金製の少なくとも１つの制御要素（３９）を有し、また前記弁閉鎖構成部品（３１）を操作して、前記貫通孔（１４）を開放又は閉鎖し、
また前記弁は復帰要素（３３）を有し、
前記復帰要素（３３）は、前記弁閉鎖構成部品（３１）の閉鎖又は開放動作に対して作用する、弁において、
前記制御要素（３９）は少なくとも１つのワイヤ要素で形成され、前記少なくとも１つのワイヤ要素は、前記弁閉鎖構成部品（３１）の接触点（３４）と、前記弁ハウジング（１２）又は前記弁ハウジング（１２）に取り付けることができるハウジング部分（１９）上の接触点（３７）との間で作動すること、及び
前記制御要素（３９）は少なくとも部分的に保護カバー（４５）で覆われること
を特徴とする、弁。
【請求項２】
前記保護カバー（４５）は、前記制御要素（３９）上に固定されずに配置され、これにより、前記保護カバー（４５）と前記制御要素（３９）との間に小さな環状間隙が形成され、前記環状間隙は好ましくは０．０１ｍｍ〜０．２ｍｍとなることを特徴とする、請求項１に記載の弁。
【請求項３】
前記保護カバー（４５）の内皮面は、前記制御要素（３９）の外側周囲上に静置されることを特徴とする、請求項１に記載の弁。
【請求項４】
前記保護カバー（４５）は、プラスチック、特に伸張性プラスチック、好ましくはテフロンで形成されることを特徴とする、請求項１に記載の弁。
【請求項５】
前記保護カバー（４５）の長さは、前記弁閉鎖構成部品（３１）が最大開放位置にある構成における、起動された前記制御要素（３９）の長さに相当するか、又は起動された前記制御要素（３９）の長さより僅かに短いことを特徴とする、請求項１に記載の弁。
【請求項６】
前記保護カバー（４５）は、前記保護カバー（４５）の前記内皮面と前記制御要素（３９）との間に環状間隙を形成し、前記保護カバー（４５）の長さは基本的には、起動されていない前記制御要素（３９）の長さに相当するか、又は起動されていない前記制御要素（３９）の長さより僅かに短く、
前記保護カバー（４５）は、少なくとも１つの貫通孔（４６）を備え、
前記少なくとも１つの貫通孔（４６）は、前記環状間隙を前記保護カバーの外側の周囲と接続する
ことを特徴とする、請求項１に記載の弁。
【請求項７】
前記保護カバー（４５）は、前記弁閉鎖構成部品（３１）上の前記接触点（３４）において前記制御要素（３９）を覆うことを特徴とする、請求項１に記載の弁。
【請求項８】
前記保護カバー（４５）及び前記制御要素（３９）は、前記弁閉鎖構成部品（３１）の前記接触点（３４）において共に固定される、特にクランプ留め又は圧着されることを特徴とする、請求項１に記載の弁。
【請求項９】
前記少なくとも１つの制御要素（３９）は、前記弁閉鎖構成部品（３１）上で偏向点（４８）において少なくとも１回方向転換し、前記保護カバー（４５）は、前記偏向点（４８）と、前記弁閉鎖構成部品（３１）と前記弁ハウジング（１２）との前記接触点（３７）との間の前記制御要素（３９）の各部分に設けられることを特徴とする、請求項１に記載の弁。
【請求項１０】
前記少なくとも１つの制御要素（３９）は、前記弁閉鎖構成部品（３１）又は前記弁ハウジング（１２）上で、１つ又は複数の前記偏向点（４８）において少なくとも１回方向転換し、前記少なくとも１つの制御要素（３９）の前記保護カバー（４５）は、少なくとも前記１つ又は複数の偏向点（４８）に沿って延在することを特徴とする、請求項１に記載の弁。
【請求項１１】
前記保護カバー（４５）は、前記少なくとも１つの制御要素（３９）の全長にわたって延在することを特徴とする、請求項１に記載の弁。
【請求項１２】
前記少なくとも１つの制御要素（３９）と、前記制御要素（３９）を覆う前記保護カバー（４５）とは、各前記接触点（３４、３７）において共に固定される、特に圧着されることを特徴とする、請求項１０に記載の弁。
【請求項１３】
前記制御要素（３９）の全長にわたって延在する前記保護カバー（４５）は、引張応力下で前記接触点（３４、３７）から突出するか又は前記接触点（３４、３７）に対して固定されることを特徴とする、請求項１に記載の弁。
【請求項１４】
前記制御要素（３９）は制御デバイス（４４）によって起動でき、前記制御デバイス（４４）は、少なくとも１つの制御変数、特に前記液体又は気体媒体の温度に応じて、前記弁閉鎖構成部品（３１）の前記開閉動作を起動することを特徴とする、請求項１〜１３のいずれか１項に記載の弁。
【発明の詳細な説明】
【技術分野】
【０００１】
本発明は、請求項１の前提部分に記載の液体又は気体媒体のための弁、特に調節弁又は閉止弁に関する。
【背景技術】
【０００２】
特許文献１から、流入口と流出口とを接続する開口部を有する弁ハウジングを備える閉止弁が公知である。貫通孔は弁座によって覆われ、この弁座は、弁座上に配設できる弁閉鎖構成部品を用いて、開口部を開閉する。弁閉鎖構成部品は、開閉動作を制御するための駆動装置によって操作され、駆動装置は、形状記憶合金製の少なくとも１つの制御要素を備える。弁閉鎖構成部品の開放動作は、復帰要素に作用する。この閉止弁は、密閉要素による、流入口と流出口との間を流れる媒体に対するシールドを制御要素に提供し、密閉要素は調節空間に設けられる。
【先行技術文献】
【特許文献】
【０００３】
【特許文献１】独国実用新案第２０２０１２１０４４６０Ｕ１号
【発明の概要】
【発明が解決しようとする課題】
【０００４】
本発明の目的は、製造がより簡単な、従ってコスト効率の高い構造の弁を提案することである。
【課題を解決するための手段】
【０００５】
この目的は、請求項１の特徴部分に記載の液体又は気体媒体のための弁、特に調節又は閉止弁によって解決される。更なる有利な実施形態及び更なる発展形態は、その他の請求項において示される。
【０００６】
保護カバーによって取り囲まれた、形状記憶合金製の少なくとも１つのワイヤ要素からなる制御要素の実施形態により、調節空間中を流れる媒体を原因として生じるいずれの有害な影響なしに、ワイヤ要素にわたる開閉動作の正確な制御が可能となる。更に、この保護カバーは、弁閉鎖構成部品の開閉要素を制御するためのワイヤ要素の、流れている媒体に対するシールドをもたらすことができる。これは特にワイヤ要素の断熱をもたらし、ワイヤ要素の所望の収縮のための起動エネルギを、形状記憶合金製のワイヤ要素へのエネルギ印加、又は弁閉鎖構成部品の閉鎖動作によって制御できる。
【０００７】
第１の実施形態によると、保護カバーはワイヤ要素上に固定されずに配置され、これにより環状間隙がカバーとワイヤ要素との間に形成され、この環状間隙は媒体で充填される。この環状間隙は好ましくは、沸騰していない媒体、又は制御要素の直近の周囲において沸騰していない媒体の場合に、媒体のごく薄いフィルムをワイヤ要素と保護カバーとの間に形成できるよう、狭く作製される。同様に、媒体のこの薄いフィルムがワイヤ要素と保護カバーとの間に静止した状態で形成されるため、断熱が起こる。これにより環状間隙が加熱される。熱エネルギは流出せず、これは弁閉鎖構成部品の変位の制御のための応答時間が削減されることを意味する。沸騰している媒体の場合、制御要素へのエネルギ印加により環状間隙内で媒体の蒸発が起こり得、これにより空気又は蒸気の層が環状間隙内に形成され、この空気又は蒸気の層が液体媒体を環状間隙から押し出し、環状間隙は特に液体が無い状態になる。この空気又は蒸気の層により、上記と同様に断熱が存在し、これにより、制御要素による制御及び応答も改善できる。環状間隙は好ましくは、０．０１〜０．２ｍｍとなるよう形成される。制御要素の制御又はエネルギ印加が終了するとすぐに、環状間隙は再び媒体で充填される。
【０００８】
ある代替実施形態は、ワイヤ要素上に静置される保護カバー、即ちワイヤ要素の周囲に静置される保護カバーの内皮面を提供する。このような実施形態によっても、形状記憶合金製のワイヤ要素の有効動作が可能となる。特に、極めて薄い保護カバー、即ち壁の厚みが低い保護カバーを用いると、ワイヤ要素の有効行程は影響されない。
【０００９】
好ましい実施形態は、伸張性プラスチックで作製されるシースを提供する。好ましくはテフロン（登録商標）製のプラスチックシースを提供し、これは可撓性の特性だけでなく、低いレベルの摺動摩擦も有するため、ワイヤ要素は有害な影響なしに有効行程を実行できる。
【００１０】
保護カバーの長さは、第１の実施形態による弁閉鎖構成部品が最大開放位置にある構成における、弁閉鎖構成部品上の接触点と弁ハウジングとの間の起動されたワイヤ要素の長さに相当し得るか、又は上記起動されたワイヤ要素の長さより僅かに短く作製され得る。これによって例えば、ワイヤ要素の収縮がある場合に、ワイヤ要素が開放動作中に保護カバーに対して追加の作用を行わなければならなくなるのを防ぐ。
【００１１】
その内皮面と制御要素との間に環状間隙を形成する保護カバーは、少なくとも１つの、好ましくは２つの、間に間隙を有して配設された貫通孔を有し、この貫通孔は、環状間隙を保護カバーの外側の周囲と接続する。間に間隙を有する少なくとも２つの貫通孔の取り付けは好ましくは、保護カバーが制御要素と同じ長さで又はより短く作製される場合に、提供される。これにより、制御要素のエネルギ印加中に環状間隙内で沸騰する媒体において、蒸気層及びその他のものを制御要素と保護カバーとの間で形成できないように、環状間隙内に残っている液体層を蒸気層の形成によって保護カバーから押し出すことができる。これにより制御要素の応答は加速し、従って通気若しくは閉鎖動作、又は弁閉鎖機構のための制御動作を改善できる。
【００１２】
好ましくは、保護カバーは、弁閉鎖構成部品上の接触点においてワイヤ要素を取り囲む。これは、接触点におけるワイヤ要素の冷却が防止されるという特定の利点を有する。流れている媒体により、開放領域において、弁閉鎖構成部品の有効行程に対して有害な影響を引き起こし得る温度変化が生じ得るが、これは接触点の領域に配設された保護カバーによって防止される。
【００１３】
少なくとも１つのワイヤ要素及びワイヤ要素を取り囲む保護カバーは好ましくは共に、弁閉鎖構成部品に対して固定され、特に弁閉鎖構成部品上にクランプ留め又は圧着される。これにより、コスト効率の高い製造が可能となる。
【００１４】
更に、好ましくは少なくとも１つのワイヤ要素が、弁閉鎖構成部品上で偏向点によって少なくとも１回方向転換し、弁閉鎖構成部品上の偏向点と弁ハウジング上の接触点との間のワイヤ要素の各部分に、保護カバーを設けることが考えられる。ワイヤ要素を１８０°方向転換させるために、例えば上記のような偏向点をループ又はピンで形成できる。例えば、ワイヤ要素の単純な変位によって２重の位置決め力を生成でき、これにより弁閉鎖構成部品を起動できる。これは、ワイヤ要素が倍の長さを有し、これにより２倍のオーム抵抗が形成され、これによりワイヤ要素の電流供給を用いて有効行程をより良好に調節できる、という更なる利点を有する。
【００１５】
ある代替実施形態では、少なくとも１つのワイヤ要素が弁閉鎖構成部品の偏向点において１回方向転換し、ワイヤ要素の保護カバーが少なくとも偏向点の長さだけ延在することが考えられる。これにより、特に弁閉鎖構成部品上で、偏向点の領域においてワイヤ要素の断熱を達成できるだけでなく、偏向点自体における摺動摩擦の改善を達成でき、これによって寿命が増大し、機能が向上する。
【００１６】
本発明の更なる有利な実施形態によると、保護カバーは、ワイヤ要素全体にわたって延在することが考えられる。これによってワイヤ要素の完全な断熱が可能となるため、ワイヤ要素と周囲の媒体との間で熱交換は起こらない。
【００１７】
保護カバー及びワイヤ要素は有利には、各接触点に固定され、特に圧着される。これにより、コスト効率の高い製造が可能となる。
【００１８】
ワイヤ要素の全長にわたって延在する保護カバーは好ましくは、引張応力下で特定の接触点から突出するか又は特定の接触点に対して固定される。これは、有効行程によってワイヤ要素が衝撃を受けた際、弁閉鎖構成部品の開放動作を実施するために、ワイヤ要素が復帰要素の位置決め力に対して作用しさえすればよく、保護カバーの追加の圧縮が必要なくなるという利点を有する。
【００１９】
弁の少なくとも１つの制御要素は好ましくは、制御機器を用いて起動され、これは、少なくとも１つの制御変数、特に液体及び気体媒体の温度に応じて、弁閉鎖構成部品の開閉動作を起動する。少なくとも１つの更なる制御変数を考慮することで、弁閉鎖構成部品の開閉位置を制御するための、制御要素の特徴マップによる調節が可能となる。調節空間内の冷却媒体の特定の温度において、制御要素の所定の電流供給がある場合、弁を解放する又は閉鎖するための既定の変位を起動できる。液体及び気体媒体の温度が変化するため、同一の変位のためには電流供給の変更又は適合が必要となる。これは前方端部において決定でき、これにより、液体又は気体媒体の温度に応じて、電流供給に応じた変位の特徴マップを決定及び確立する。例えば制御要素の数、制御構成部品の直径、またこのような制御要素のための形状記憶合金の専用の合金の選択等の更なるパラメータを、同様に考慮できる。このようにして、制御装置を用いて、弁閉鎖構成部品の開閉動作のための特徴マップが可能となり、これは例えば、周囲における制御要素の熱損失又は熱的加熱の機能を表す。
【００２０】
本発明、本発明の更なる有利な実施形態及びこれら実施形態の更なる発展形態を、図面に示す例を用いて、以下により詳細に記載及び説明する。記載及び図面から得ることができる特徴は、個別に、又は本発明によるいずれの組み合わせにおいて共に使用できる。
【図面の簡単な説明】
【００２１】
【図１】図１は、本発明による弁の第１の実施形態の概略断面図である。
【図２】図２は、図１に対する第１の代替実施形態の概略断面図である。
【図３】図３は、図１に対する第２の代替実施形態の概略断面図である。
【図４】図４は、図３に対する代替実施形態の概略断面図である。
【図５】図５は、図３に対する別の代替実施形態の概略断面図である。
【発明を実施するための形態】
【００２２】
図１では、本発明による弁１１が示されており、これは例えば閉止弁として設計されている。弁１１は弁ハウジング１２を備え、この弁ハウジング１２は流出口１６への排出を行う貫通孔１４を有する。弁座１７が貫通孔の反対の端部上に配設され、この弁座は例えばクレータ状の隆起を有する。更に、シース状のハウジング部分１９が弁ハウジング１２上に設けられている。このハウジング部分は、弁ハウジング１２上に一体として配設できる。あるいはこのハウジング部分は、ねじ留め接続又は強固な接着による接続等の着脱可能な接続によって、弁ハウジング１２に取り付けることもできる。シース状のハウジング部分１９は少なくとも１つの流入口２１を有し、この流入口２１を通して液体又はガス媒体が調節空間２２に到達する。この調節空間２２は、シース状のハウジング部分１９によって境界を定められる。
【００２３】
肩部又は固定部分２５をシース状のハウジング部分１９上に配設できる。この固定部分２５はリング又はディスク状の要素から形成でき、これを第１のハウジング部分と第２のハウジング部分との間、又はシース部分と第２の蓋との間の第２のシース状のハウジング部分に配設できる。あるいは、このような固定部分２５を２つの部分：シース部分又は蓋部分のうちの１つ上に形成できる。あるいはこれを、単に直径を低減することにより、蓋上の肩部の形態で形成できる。この固定部分２５には復帰要素３３が当接しており、この復帰要素３３は反対側において、弁閉鎖構成部品３１上に形成された保持部分２８を把持する。あるいは、復帰要素３３が、固定部分２５ではなく、シース状のハウジング部分１９の基部２７に当接することも考えられる。
【００２４】
弁閉鎖構成部品３１は、閉鎖位置において弁座１７上に好ましくは直接配置され、復帰要素３３によってこの位置に保持される。このようにして、弁１１は閉鎖される。弁閉鎖構成部品３１は保持部分２８を有することができ、この保持部分２８は、弁閉鎖構成部品と一体として形成できる。保持部分２８は有利には、径方向外向きに延在し、シース状のハウジング部分１９の壁部に対して小さな環状間隙を有して配設され、また上記壁部に沿って案内されていてよい。好ましくはこのために、案内部分を形成できる。保持部分２８の外側周囲は更に溝も有することができ、これにより媒体は調節空間２２全体を通って流れることができる。
【００２５】
弁閉鎖構成部品３１は駆動装置３５によって操作され、貫通孔１４を開閉する。駆動装置３５は少なくとも１つの制御要素３９を備え、この少なくとも１つの制御要素３９は、詳細には示さない制御装置によって制御ケーブル４２を介して操作される。
【００２６】
形状記憶合金製の少なくとも１つの制御要素３９のための第１の接触点３４は、弁閉鎖構成部品３１又は保持要素２８上に設けられる。この制御要素３９は好ましくは、ワイヤ要素として形成される。この制御要素３９は、接触点３４からその反対側に配設された接触点３７まで延在し、接触点３７はシース状のハウジング部分１９の基部２７上に設けられる。
【００２７】
図示した例示的な実施形態によると、制御要素３９は、一直線に形成されたワイヤ要素、又はロッド状のワイヤ要素として形成される。更に、制御要素３９はコイル状のワイヤ要素であってもよい。あるいは、複数のこのようなワイヤ要素を、互いに対して例えば円状に位置合わせして設け、これによって一種のロッドケージを形成できる。
【００２８】
接触点３７は例えば、供給口４１内、シース状のハウジング部分１９の基部２７上、又は供給口４１を取り囲む密閉要素４３内に配置され、供給口４１内では制御要素３９が制御ケーブル４２と接続され、制御ケーブル４２は制御要素３９にエネルギを印加するために制御デバイス４４に接続される。
【００２９】
形状記憶合金からなる制御要素３９を、特定の用途及び制御温度に応じて、媒体に適合させることができる。
【００３０】
制御要素３９は保護カバー４５によって覆われる。この保護カバー４５は基本的には、制御要素３９の全長にわたって延在し、保護カバー４５の長さは制御要素３９より、制御要素３９の最大有効行程分だけ短い。これによって、弁閉鎖構成部品３１を開放する際、制御要素３９による保護カバー４５の更なる緊張の必要性を回避できる。
【００３１】
保護カバー４５は、制御要素３９に近接して配置されるよう、形成される。例えば、保護カバーの内径は制御要素３９の外径に対応する。保護カバー４５は好ましくはプラスチックで形成される。特にテフロンを選択できる。この実施形態では、図１において、保護カバー４５が、制御要素３９の、弁閉鎖構成部品３１上の接触点３４及び基部２７上の接触点３７に対して、間隙を有して配設されることが考えられる。
【００３２】
あるいは、保護カバー４５と制御要素３９との間に小さな環状間隙が形成されるよう、保護カバー４５を、制御要素３９のワイヤの外側周囲より大きい内皮面を有するように形成する、ことが考えられる。例えば制御要素３９の外径を０．３ｍｍ、保護カバー４５の内皮面の外径を０．４ｍｍとすることができる。従って保護カバー４５は、制御要素３９に対して僅かに変位できる。
【００３３】
図２では、弁１１の代替実施形態が図１と比較して示されている。この実施形態は、保護カバー４５が、制御要素３９と全く同様に接触点３４に固定されているという点において、区別される。例えば、制御要素３９及び保護カバー４５を接触点３４に対して、特に共通の圧着を用いて共に固定できる。この構成は、制御要素３９が接触点３４の領域において断熱されるという利点を有する。この領域において、接触点３４における制御要素３９の冷却が、弁閉鎖構成部品３１の循環によって発生し得る。これは、保護カバー４５の配置によって防止される。あるいは、保護カバー４５はまた、下側接触点３７まで延在し、制御要素３９を完全に覆うこともできる。制御要素３９及び保護カバー４５の両方を接触点３７に共に固定することもできる。
【００３４】
図２によるこの実施形態では、保護カバー４５の接触点３４の近くに少なくとも１つの貫通孔４６を設けることも更に考えることができ、この少なくとも１つの貫通孔４６は、調節空間２２を、保護カバー４５と制御要素３９との間に形成された環状間隙と接続する。制御要素３９に電流が供給されると制御要素３９と保護カバー４５との間の環状間隙の領域で沸騰し始める液体が追加される場合、環状間隙内に存在するこの媒体は、シール４３に対して間隙を呈する保護カバー４５の一方の端部、及びその反対側の接触点３４の近くに配設された少なくとも１つの貫通孔４６上の両方において漏れ出ることができるため、環状間隙に位置する媒体のより迅速な押し出しが達成される。
【００３５】
更に、弁１１は例えば調節弁として形成され、この弁１１は図１における閉止弁とは異なり、平坦な閉鎖面ではなく弁閉鎖構成部品３１上に円錐形の閉鎖用外形３２を有し、閉鎖用外形は通路１４へと延伸し、弁座１７に当接する。あるいは、図１による弁閉鎖構成部品３１を設けることもでき、これにより弁１１は図２に従って閉止弁として形成される。閉鎖用外形３２を有するこの弁閉鎖構成部品３１は、図１による弁１１に挿入することもできる。
【００３６】
図３では、図１の実施形態に対する代替実施形態が示されている。この図３の実施形態は、接触点３４ではなく偏向点４８が設けられ、これにより制御要素３９の単純な方向転換が形成される点において異なる。この偏向点４８は例えば、ピン、Ｕ字型ループ等で形成できる。保護カバー４５は、制御要素３９の、偏向点４８と２つの接触点３７のそれぞれとの間の部分上に設けられる。保護要素４５は例えば、図１に記載した実施形態と同様に形成できる。従って保護カバー４５の長さは、弁閉鎖構成部品３１が妨げのない開放動作を最大開放位置まで、この開放動作に対して保護カバー４５が作用することなく実施できるように、提供される。
【００３７】
複数のこのような単純な方向転換を弁閉鎖構成部品３１上で提供できることが明らかである。１つ又は複数の偏向点４８は好都合には、基部２７上に設けることができる。１つ又は複数の偏向点４８を弁閉鎖構成部品３１上及び基部２７上の両方に設けることができ、これにより１つの制御要素３９を１回若しくは複数回方向転換でき、又は複数の制御要素３９を１回若しくは複数回方向転換できるようにすることも考えられる。
【００３８】
図４では、参照される図３における実施形態に対する代替実施形態が示されている。この実施形態は、制御要素３９が、制御要素３９と同様に偏向点４８に沿って延在する保護カバー４５によって取り囲まれる点において異なる。これは、偏向点４８において制御要素３９の断熱がもたらされるという利点を有する。更に、制御要素３９のために改善された滑り表面を偏向点に作製できる。
【００３９】
この実施形態においても、調節空間２２を制御要素３９と保護カバー４５との間の環状間隙と接続するために、少なくとも１つの貫通孔を保護カバー４５の偏向点４８に隣接して又は偏向点４８の近くに設けることを考えることができる。図２に記載した貫通孔に関する作動方法は、この実施形態にも同様に当てはまる。
【００４０】
図５では、図４の実施形態に対する代替実施形態が示されている。この実施形態は、保護カバー４５が制御要素３９の全長に沿って延在するという点において、修正されている。例えば、保護カバー４５はその２つの自由端部によって接触点３７に固定されている。これら端部は、制御要素３９の端部と共に圧着できる。この構成は、制御要素３９の断熱のみならず、電気的絶縁ももたらすという利点を有する。
【００４１】
図５に示した実施形態では、保護カバー４５は、引張応力下で突出するか又は固定される。
【００４２】
制御要素３９が起動して、保護カバー４５によって形成された環状間隙で沸騰し始めた媒体が弁１１中を流れる場合、有利には少なくとも１つの貫通孔が、保護カバー４５の特定の接触点３７の近くの少なくとも１つの貫通孔内の偏向点４８の近くに設けられ、これにより、環状間隙内の媒体が蒸発し始めた場合に、環状間隙内に依然として残っている液体媒体の一部が上記貫通孔を通して調節空間２２に流出できる。
【００４３】
上述の全ての実施形態において、これらの種類の追加の貫通孔を保護カバー４５に設けることができ、これにより、制御要素３９が起動して環状間隙内の媒体の蒸発プロセスが開始された場合に、環状間隙内に位置する媒体が迅速に流出できる。同時に、このような貫通孔により、制御動作の終了後に環状間隙を直ちに充填できる。
【００４４】
当然、図２〜図５に示した保護カバー４５及び／又は偏向点４８の構成及び実施形態を入れ替えて提供することもできる。特に、偏向点４８を、弁閉鎖構成部品３１上ではなく、弁ハウジング１２の基部２７上、特にシース状のハウジング部分１９に設けることもできる。これらの実施形態は、１つの及び複数の制御要素３９の両方に当てはまる。
【００４５】
同様に、図３〜図５による弁１１は調節弁又は閉止弁として形成される。
【００４６】
従って上述した実施形態は、保護カバー４５の構成により、保護カバー４５を有さない場合と比べて、弁閉鎖構成部品３１の制御動作の起動のために必要なエネルギが有意に少ないという利点を有する。この保護カバー４５を用いて、液体媒体を使用する際の起動エネルギを、気体媒体による操作時の起動エネルギの値にまで変化させることができる。
【符号の説明】
【００４７】
１２  弁ハウジング
１４  貫通孔
１６  流入口
１７  弁座
１９  ハウジング部分
２１  流出口
２２  調節空間
３１  弁閉鎖構成部品
３３  復帰要素
３４  接触点
３５  駆動装置
３７  接触点
３９  制御要素
４４  制御デバイス
４５  保護カバー
４６  貫通孔
４８  偏向点
【図１】
2015203498.tif 000003
【図２】
2015203498.tif 000004
【図３】
2015203498.tif 000005
【図４】
2015203498.tif 000006
【図５】
2015203498.tif 000007
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
液体又は気体媒体のための弁であって、
前記弁は弁ハウジング（１２）を有し、
前記弁ハウジング（１２）は少なくとも１つの貫通孔（１４）を有し、
前記少なくとも１つの貫通孔（１４）は流入口（２１）を流出口（１６）と接続し、
前記弁は、前記弁ハウジング（１２）上に配設され、前記貫通孔（１４）を覆う弁座（１７）を有し、
前記貫通孔（１４）は弁閉鎖構成部品（３１）によって閉鎖され、
前記弁閉鎖構成部品（３１）は、前記流入口（２１）と前記流出口（１６）との間に形成された前記弁ハウジング（１２）の調節空間（２２）に配設され、
前記弁は、前記弁ハウジング（１２）に接続された駆動装置（３５）を有し、
前記弁ハウジング（１２）は、前記弁閉鎖構成部品（３１）の開閉動作を制御するための、形状記憶合金製の少なくとも１つの制御要素（３９）を有し、また前記弁閉鎖構成部品（３１）を操作して、前記貫通孔（１４）を開放又は閉鎖し、
また前記弁は復帰要素（３３）を有し、
前記復帰要素（３３）は、前記弁閉鎖構成部品（３１）の閉鎖又は開放動作に対して作用する、弁において、
前記制御要素（３９）は少なくとも１つのワイヤ要素で形成され、前記少なくとも１つのワイヤ要素は、前記弁閉鎖構成部品（３１）の接触点（３４）と、前記弁ハウジング（１２）又は前記弁ハウジング（１２）に取り付けられたハウジング部分（１９）上の接触点（３７）との間で作動すること、及び
前記制御要素（３９）は少なくとも部分的に保護カバー（４５）で覆われること
を特徴とする、弁。
【請求項２】
前記保護カバー（４５）は、前記制御要素（３９）上に固定されずに配置され、これにより、前記保護カバー（４５）と前記制御要素（３９）との間に小さな環状間隙が形成されることを特徴とする、請求項１に記載の弁。
【請求項３】
前記保護カバー（４５）の内皮面は、前記制御要素（３９）の外側周囲上に静置されることを特徴とする、請求項１に記載の弁。
【請求項４】
前記保護カバー（４５）は、伸張性プラスチックで形成されることを特徴とする、請求項１に記載の弁。
【請求項５】
前記保護カバー（４５）の長さは、前記弁閉鎖構成部品（３１）が最大開放位置にある構成における、起動された前記制御要素（３９）の長さに相当するか、又は起動された前記制御要素（３９）の長さより僅かに短いことを特徴とする、請求項１に記載の弁。
【請求項６】
前記保護カバー（４５）は、前記保護カバー（４５）の前記内皮面と前記制御要素（３９）との間に環状間隙を形成し、前記保護カバー（４５）の長さは基本的には、起動されていない前記制御要素（３９）の長さに相当するか、又は起動されていない前記制御要素（３９）の長さより僅かに短く、
前記保護カバー（４５）は、少なくとも１つの貫通孔（４６）を備え、
前記少なくとも１つの貫通孔（４６）は、前記環状間隙を前記保護カバーの外側の周囲と接続する
ことを特徴とする、請求項１に記載の弁。
【請求項７】
前記保護カバー（４５）は、前記弁閉鎖構成部品（３１）上の前記接触点（３４）において前記制御要素（３９）を覆うことを特徴とする、請求項１に記載の弁。
【請求項８】
前記保護カバー（４５）及び前記制御要素（３９）は、前記弁閉鎖構成部品（３１）の前記接触点（３４）において共に固定されることを特徴とする、請求項１に記載の弁。
【請求項９】
前記保護カバー（４５）及び前記制御要素（３９）は、前記弁閉鎖構成部品（３１）の前記接触点（３４）において、共にクランプ留め又は圧着されることを特徴とする、請求項１に記載の弁。
【請求項１０】
前記少なくとも１つの制御要素（３９）は、前記弁閉鎖構成部品（３１）上で偏向点（４８）において少なくとも１回方向転換し、前記保護カバー（４５）は、前記偏向点（４８）と、前記弁閉鎖構成部品（３１）と前記弁ハウジング（１２）との前記接触点（３７）との間の前記制御要素（３９）の各部分に設けられることを特徴とする、請求項１に記載の弁。
【請求項１１】
前記少なくとも１つの制御要素（３９）は、前記弁閉鎖構成部品（３１）又は前記弁ハウジング（１２）上で、１つ又は複数の前記偏向点（４８）において少なくとも１回方向転換し、前記少なくとも１つの制御要素（３９）の前記保護カバー（４５）は、少なくとも前記１つ又は複数の偏向点（４８）に沿って延在することを特徴とする、請求項１に記載の弁。
【請求項１２】
前記保護カバー（４５）は、前記少なくとも１つの制御要素（３９）の全長にわたって延在することを特徴とする、請求項１に記載の弁。
【請求項１３】
前記少なくとも１つの制御要素（３９）と、前記制御要素（３９）を覆う前記保護カバー（４５）とは、各前記接触点（３４、３７）において共に固定されることを特徴とする、請求項１１に記載の弁。
【請求項１４】
前記少なくとも１つの制御要素（３９）と、前記制御要素（３９）を覆う前記保護カバー（４５）とは、各前記接触点（３４、３７）において共に圧着されることを特徴とする、請求項１３に記載の弁。
【請求項１５】
前記制御要素（３９）の全長にわたって延在する前記保護カバー（４５）は、引張応力下で前記接触点（３４、３７）から突出するか又は前記接触点（３４、３７）に対して固定されることを特徴とする、請求項１に記載の弁。
【請求項１６】
前記制御要素（３９）は制御デバイス（４４）によって起動され、前記制御デバイス（４４）は、少なくとも１つの制御変数に応じて、前記弁閉鎖構成部品（３１）の前記開閉動作を起動することを特徴とする、請求項１に記載の弁。
【請求項１７】
前記制御要素（３９）は前記制御デバイス（４４）によって起動され、前記制御デバイス（４４）は、前記液体又は気体媒体の温度に応じて、前記弁閉鎖構成部品（３１）の前記開閉動作を起動することを特徴とする、請求項１に記載の弁。